(57)【特許請求の範囲】
【請求項１】
胴体１における上翼板３の上面に片持梁形の取付杆９を後口１１側から肩口１０側ヘ向けて突設し、案内柱５の上面に凹陥部１４を凹設し、取付杆９の端部と凹陥部１４の表面との間に引手２の取付環２３が嵌通できる間隔の間隙１５を設け、案内柱５を上下に貫通する透孔１３を穿設し、透孔１３内に取付杆９の端部に弾接するストッパー１８を挿入して間隙１５を閉鎖し、引手２の取付環２３がストッパー１８を押圧して後退させ、間隙１５を嵌通して取付杆９に嵌装可能に形成したことを特徴とする引手後付けタイプのスライドファスナー用スライダー。
【請求項２】
ストッパー１８は上面が肩口１０側へ傾斜する形状で透孔１３に配し、スプリング２０を介在させて底部を支持板２１で固定してなる請求項１記載の引手後付けタイプのスライドファスナー用スライダー。
【発明の詳細な説明】
【０００１】
【発明の属する技術分野】
この発明は、スライドファスナー用スライダーにおいて、最初に胴体を作製して、その後に各種形態の引手を後付け操作によって胴体に装着することができ、一旦装着した後は簡単に引手を取外すことが出来ない、引手後付けタイプのスライドファスナー用スライダーに関するものである。
【０００２】
【従来の技術】
従来、スライドファスナー用スライダーにおいて、スライダー胴体に引手を後付けできる形態のスライダーは多数知られている。たとえば特公平１−１４７６１号公報には、スライダー胴体の上翼板には、その前端に一体に連結される一端と、上翼板の後端に延びる他端とからなる引手保持体が突設されており、引手保持体と上翼板との間に引手取付軸部が保持されているスライダーにおいて、上翼板の上面と引手保持体の他端との間には、引手の取付軸部が通過できる間隙部が形成され、間隙部には、間隙を閉鎖する位置と、解放する位置との２位置を占めうる弾性部材が、胴体または引手保持体に保持されて配置され、弾性部材は、弾性変位により、引手取付軸部が引手挿入時に通過できるよう、常時閉鎖位置である上翼板の上面に凹設された凹陥部内に弾接させた引手を着脱できるスライダーが開示されている。
【０００３】
また、特公平３−８７６１号公報には、スライダー胴体の上翼板の案内柱から後口部に向けて下向き凹状の引手保持体が突設され、引手保持体の後口部側の端部と上翼板との間隙部が引手の取付軸部の挿通間隙とされているとともに、間隙部には、間隙の閉鎖部材が、上翼板に後口部から案内柱に向け削設して形成した摺動溝に、間隙閉鎖位置と、案内柱側へ寄った間隙開口位置との間を摺動できるよう配設され、常時間隙閉鎖位置を占めるよう摺動溝内に配設した弾性体で付勢されている引手を着脱できるスライダーが開示されている。
【０００４】
さらに図６に示すように、スライダー胴体の案内柱の前面に縦方向の溝部を設け、この溝部における下翼板面は閉鎖された底部を形成し、この溝部の下側にコイルスプリング、またその上側に台形のストッパーを遊嵌した後、溝部の前面を蓋板で封鎖固定し、ストッパーの端部を上翼板の後口側から肩口側に向けた片持梁形の引手取付杆の下面に弾接し、肩口側から引手の取付環を嵌挿可能に形成した引手後付けタイプのスライダーが中華民国専利第２７２３８６号公報に開示されている。
【０００５】
【発明が解決しようとする課題】
前項で述べた第１例のスライダーは、引手の保持体が上翼板の前端すなわち肩口側に突設して後口側に延びるように設け、かつ引手取付軸部が通過できる間隙部を後口側に設け、この間隙部を閉鎖および解放する弾性部材を引手保持体に配設し、弾性部材は上翼板の後口側に設けた凹陥部に常時弾接するように設けたものであるから、引手の引張力はもろに弾性部材に作用し、しかも弾性部材は引手保持体内に設けているので、頑丈な引手掛止機構とはいえない。そのうえ引手を横向きで手前へ引寄せると間隙部と引手取付軸部とが略同寸法であるため、円弧状の取付軸部が弾性部材を後口側の外側から弾力に抗して押圧する結果、間隙部から引手取付軸部が脱出する弊害がある。また凹陥部を大きく形成することは後口側の上翼板では無理であり、引手取付軸部の脱出を未然に防ぐ機構が採り難いなど問題点がある。
【０００６】
また第２例においても、引手保持体は案内柱の上面から後口側へ向けて突設され、保持体の先端の間隙を閉鎖する閉鎖部材を上翼板の後口側に設けるため、頑丈な閉鎖機構に形成することができない。また引手の引張力はもろに閉鎖部材に作用し、強固な引手掛止機構とはいえない。さらに前例と同様に間隙が引手取付軸部と略同寸法であるから、引手を横向きで手前へ引寄せると、円弧状の取付軸部が閉鎖部材を後口側の外側から弾力に抗して押圧する結果、間隙から引手取付軸部が脱出する弊害があるなど問題点がある。
【０００７】
さらに図６に示すスライダーは、胴体の案内柱内に引手取付杆と上翼板との間隙を閉鎖する機構を内設することは、強力な閉鎖機構を完成させることができる利点がある。しかしながら図示のスライダーも前記各例と同様、引手を横向きで手前へ引寄せると円弧状の引手取付環によってストッパーを外側から弾力に抗して押圧する結果、間隙から引手取付環が脱出し引手が脱落するという弊害があり、さらにまたストッパーおよびそれを係止するスプリングを案内柱の前面から嵌入する形態であるとスライダーの自動組立加工には不向きな形態であるなど問題点がある。
【０００８】
この発明は、上述の問題点を考慮して発明されたものであり、請求項１記載の発明は、引手取付杆の端部と上翼板との間隙を簡単な機構、例えばストッパーによって閉鎖して引手の後付け操作が簡易に行え、かつ引手の掛止はストッパーではなく取付杆によって行う頑丈なスライダーであり、引手をいかなる形態で操作しても取付杆から脱出させることが故意以外では不可能である。しかもスライダーの自動組立加工に適した形態の引手後付けタイプのスライドファスナー用スライダーを提供することが主たる目的である。
【０００９】
請求項２記載の発明は、請求項１記載の発明の目的に加え、引手の取付環を円滑かつ容易に後付けすることができ、しかも強力な間隙閉鎖機構を外観上からは分からない胴体の案内柱内に設置し、外観の美しいスライダーに仕上げることができ、スライダー自動組立加工に適した形態の引手後付けタイプのスライドファスナー用スライダーを提供することが目的である。
【００１０】
【課題を解決するための手段】
前記の目的を達成するため、この発明のうち請求項１記載の発明は、スライダー胴体１における上翼板３の上面に片持梁形の引手取付用の取付杆９を後口１１側から肩口１０側ヘ向けて突設し、案内柱５の上面に案内柱５の上面に凹陥部１４を凹設し、取付杆９の端部と上翼板３上に形成した凹陥部１４の表面との間に引手２の取付環２３を嵌通することができる間隔の間隙１５を設け、案内柱５には上下に貫通する透孔１３を設け、この透孔１３内に取付杆９の端部に弾接するストッパー１８を挿入して間隙１５を閉鎖し、引手２の取付環２３がストッパー１８を押圧して後退させ、間隙１５を嵌通させて取付杆９内に嵌装して収容できるように形成した引手後付けタイプのスライドファスナー用スライダーを主な構成とするものである。
【００１１】
請求項２記載の発明は、請求項１記載の発明の構成に加え、間隙閉鎖機構の主要部であるストッパー１８は上面が肩口１０側へ向けて下向きに傾斜する状態で透孔１３内に配し、スプリング２０を介在させて透孔１３の底部を支持板２１によって固定した引手後付けタイプのスライドファスナー用スライダーである。
【００１２】
【発明の実施の形態】
以下、この発明の引手後付けタイプのスライドファスナー用スライダーの実施の形態について、図面を参照しながら具体的に説明する。
【００１３】
この発明の引手後付けタイプのスライドファスナー用スライダーは、図１に示すようにスライダー胴体１が上翼板３と下翼板４とを案内柱５によって連結するとともに、上翼板３と下翼板４の両側縁にはファスナーエレメントをガイドするガイドフランジ６が屈設され、ガイド溝７が形成されている。なおガイドフランジ６はファスナーエレメントのタイプによって、一方側の翼板のみに設置することがある。
【００１４】
胴体１の上翼板３には、後口１１側の上面に肩口１０側すなわち案内柱５の上面に向けて片持梁形の引手取付用の取付杆９を突設するとともに、案内柱５には上下に貫通する透孔１３を図示のように穿設し、この透孔１３の上面に横断面形状が弧状を呈する凹陥部１４を凹設し、凹陥部１４は図３に示すように取付杆９の先端下面９’を被う形で広い範囲にわたって上翼板３に設けて対面させ、取付杆９と上翼板３との間に間隙１５を設ける。
【００１５】
この凹陥部１４は、引手２の一端に設けられた取付環２３の外形に略合致する相似形状、たとえば図３に示すような横断面形状に形成し、取付杆９と凹陥部１４の表面とは引手２の取付環２３が嵌通できるような間隔に形成する。したがって図３に示すように上翼板３の水平面と取付杆９の先端下面９’との間隔Ｃは、引手２の取付環２３の厚みよりも狭小寸法に形成する。この形態に形成することは、引手２を肩口１０側に引張ったとき、常に取付環２３はストッパー１８でなく取付杆９の内側面に当接することができる。
【００１６】
案内柱５に縦設する透孔１３の下面には段部１６が設けられ、かつ前後に突片１７が突設されている。この透孔１３内に、上面に斜面１９を有する台形のストッパー１８を挿入し、ストッパー１８の下方にコイル状のスプリング２０を介在させて支持板２１を段部１６に嵌入し、図２に示すように突片１７を加締めて固定する。コイル状のスプリング２０の上端はストッパー１８の下面に設けた円孔２２に嵌入固定し、また下端は支持板２１に単に弾接させるか、または支持板２１の表面に突起を突設して突起に嵌着させてもよい。
【００１７】
透孔１３に嵌装したストッパー１８は、図２に示すように斜面１９が肩口１０側に向け下向きに傾斜する状態に配し、先端が取付杆９の下面９’に弾接する形態に形成する。そして肩口１０側から引手２の取付環２３を間隙１５を利用して圧入するとストッパー１８はスプリング２０の弾力に抗して後退し、取付環２３は取付杆９に嵌装できる。
【００１８】
引手２は図１に示すように一端に弧状の取付環２３が形成されているが、この取付環２３とストッパー１８とは図４に示すように引手２を取付杆９に嵌装しセットしたとき、取付環２３のセンターがストッパー１８の内側面よりも肩口１０側にずれた位置を占める状態に形成するのが、引手２を取付杆９に嵌装後、脱出させることができない条件を満たすことになる。
【００１９】
スライダーの胴体１およびストッパー１８は、アルミニウム合金、亜鉛合金などの金属をダイキャスト成形手段によって成形し、金属製のコイル状のスプリング２０、支持板２１とを自動組立加工手段によって組立てる。この形態のスライダーが自動組立加工に適しているのは、ストッパー１８、スプリング２０、支持板２１を一定方向から供給し、そのまま加締加工を行えばよいから、組立工程上有利な形態である。
【００２０】
図５に示す引手後付けタイプのスライダーは、胴体１、引手２、ストッパー１８、スプリング２０、支持板２１の全てをポリアミド、ポリアセタール、ポリプロピレン、ポリブチレンテレフタレートなどの熱可塑性樹脂を用い、射出成形手段または押出成形手段によって成形し、スライダーを組立てる。
【００２１】
この熱可塑性樹脂製のスライダーの態様は前記金属製のスライダーの態様と略同一であるが、異なるところは図示のようにストッパー１８、スプリング２０および支持板２１を一体成形したことである。一体成形された閉鎖部材２４は、支持板２１の上面に蛇行単板のスプリング２０、その端部に台形のストッパー１８が形成されている。またスプリング２０は蛇行板を前後または左右に併設してもよい。この閉鎖部材２４を胴体１の案内柱５に形成された透孔１３内に挿入し、ストッパー１８の先端が取付杆９に弾接した状態で、支持板２１を下翼板４に形成した突片１７とを超音波加工によって溶着してスライダーを組立てる。
【００２２】
以上、この引手後付けタイプのスライダーの構成について説明したが、このタイプのスライダーはファスナーチェンにスライダーを装着する前、または装着後であってもよいが、スライダー胴体１に各種類の引手２を胴体１に設けた凹陥部１４上に形成された間隙１５を取付環２３が嵌通して、後付け過程で装着するものであり、一旦装着すると通常の使用態様では、引手２は胴体１から脱出させることができないような構成に仕上げた点に特長がある。
【００２３】
【発明の効果】
この発明の引手後付けタイプのスライドファスナー用スライダーは、以上説明したとおりの構成であり、この構成によって下記の効果を奏する。
【００２４】
この発明のうち請求項１記載の発明は、胴体における上翼板の上面に片持梁形の取付杆を後口側から肩口側へ向けて突設し、案内柱の上面に凹陥部を凹設し、取付杆の端部と凹陥部の表面との間に引手の取付杆が嵌通できる間隔の間隙を設け、案内柱を上下に貫通する透孔を穿設し、透孔内に取付杆の端部に弾接するストッパーを挿入して間隙を閉鎖し、引手の取付環がストッパーを押圧して後退させ、間隙を嵌通して取付杆に嵌装可能に形成したことによって、下記の効果を奏する。
【００２５】
胴体における上翼板の後口から肩口へ向けて引手取付杆を設け、取付杆の端部と上翼板に設けた凹陥部との間に引手の取付環を容易に嵌通できる間隙を簡単に設置することができ、しかも間隙を閉鎖させる機構を案内柱を利用して簡単に設置して引手を後付けすることができる。また、引手の後付け操作は、胴体上に設けた凹陥部を利用することによりきわめて簡易かつ円滑に行うことができ、そのうえ凹陥部から嵌装された引手はストッパーでなく取付杆によって掛止され頑丈なスライダーに仕上げることができ、さらに凹陥部は案内柱の上面に形成するから、上翼板の後口側に深さが制限されて設けるのと異なり、凹陥部の大きさは案内柱内であれば自由に許容できる利点があり、従来品に比して性能を向上させる効果がある。
【００２６】
請求項２記載の発明は、請求項１記載の発明の効果に加え、ストッパーは上面が肩口側に傾斜する形状で透孔に配し、スプリングを介在させて底部を支持板で固定したことによって、引手の取付環を上翼板と取付杆との間隙を嵌通させることができ、一旦嵌通させると故意以外の操作では引手を取付杆から脱却させることができない。また間隙閉鎖機構は外観上からは分からないので体裁のよいスライダーに仕上げ、スライダー自動組立加工に適した形態の引手後付けタイプのスライダーであり、生産性の向上が図れる効果があるなど、この発明が奏する効果はきわめて顕著である。
【図面の簡単な説明】
【図１】引手後付けタイプのスライドファスナー用スライダーの一部破断した分解斜視図である。
【図２】同上スライドファスナー用スライダーの縦断面図である。
【図３】同上スライドファスナー用スライダーの横断面図である。
【図４】同上スライドファスナー用スライダーの一部破断した平面図である。
【図５】引手後付けタイプのスライドファスナー用スライダーの第２実施例の一部破断した分解斜視図である。
【図６】公知の引手後付けタイプのスライドファスナー用スライダーの分解斜視図である。
【符号の説明】
１                胴体
２                引手
３                上翼板
４                下翼板
５                案内柱
９                取付杆
９’              先端下面（取付杆）
１０              肩口
１１              後口
１３              透孔
１４              凹陥部
１５              間隙
１８              ストッパー
２０              スプリング
２１              支持板
２３              取付環
２５              横孔
Ｃ                間隔
【図１】
0003611699.tif 000002
【図２】
0003611699.tif 000003
【図３】
0003611699.tif 000004
【図４】
0003611699.tif 000005
【図５】
0003611699.tif 000006
【図６】
0003611699.tif 000007